(57)【要約】      （修正有）【課題】他のショッピングカートと重ねて収納する際に邪魔にならずにショッピングカートに広告・告知媒体を着脱することができ、買い物客が広告・告知媒体を確認しながら買い物をすることができる、ショッピングカート用広告具およびこれを備えたショッピングカートを提供する。【解決手段】複数の車輪３１を有する車輪部３と、車輪部の上に設けられて買い物カゴを載置するカゴ載置部４と、カゴ載置部の手前側に設けられるハンドル部５とを有するショッピングカート１に広告・告知媒体を取り付けるためのショッピングカート用広告具２であって、広告・告知媒体を収容する広告・告知媒体収容部材と、広告・告知媒体収容部材をハンドル部またはカゴ載置部のハンドル部側において左右に延びる上縁部４３に回動自在に吊設させる吊設部材とを有する。【選択図】図１
0003213786.tif 000002
【実用新案登録請求の範囲】
【請求項１】
複数の車輪を有する車輪部と、この車輪部の上に設けられて買い物カゴを載置するカゴ載置部と、このカゴ載置部の手前側に設けられるハンドル部とを有するショッピングカートに広告・告知媒体を取り付けるためのショッピングカート用広告具であって、
前記広告・告知媒体を収容する広告・告知媒体収容部材と、この広告・告知媒体収容部材を前記ハンドル部または前記カゴ載置部の前記ハンドル部側において左右に延びる上縁部に回動自在に吊設させる吊設部材とを有する、前記ショッピングカート用広告具。
【請求項２】
前記吊設部材が、前記ハンドル部または前記カゴ載置部の上縁部に対して着脱可能に掛止するリング状または上下逆方向の略Ｕ字状に形成されている、請求項１に記載のショッピングカート用広告具。
【請求項３】
前記広告・告知媒体収容部材が、２枚の略矩形状板材から構成されているとともに両下縁部を閉じて前記各略矩形状板材の間に前記広告・告知媒体を挟持するように構成されている、請求項１または請求項２に記載のショッピングカート用広告具。
【請求項４】
前記広告・告知媒体収容部材が、２枚の略矩形状板材から構成されているとともに、四辺のうちの一縁部を閉じるように連結し、他の三つの縁部に互いに着脱自在に固着する磁石を備えている、請求項１または請求項２に記載のショッピングカート用広告具。
【請求項５】
請求項１から請求項４のいずれかに記載されたショッピングカート用広告具を備えたショッピングカートであって、前記ショッピングカート用広告具が前記ショッピングカートのハンドル部またはカゴ載置部のハンドル部側において左右に延びる上縁部に回動自在に吊設されている、前記ショッピングカート。
【考案の詳細な説明】
【技術分野】
【０００１】
本考案は、広告・告知媒体をショッピングカートに取り付けるためのショッピングカート用広告具およびこれを備えたショッピングカートに関するものである。
【背景技術】
【０００２】
一般に広告および告知用のチラシは、新聞の折り込みやポスティングなどによって各戸に配布されている。しかし、近年では、新聞を購読しない世帯が増え、折り込みチラシを見る機会が減っている。また、ポスティングされたチラシは読まれることなく破棄されてしまうことも多い。あるいは仮にチラシを見ていたとしても、お店で買い物をする際に、それを手に持ちながら買い物をする場合は少ない。
【０００３】
そこで、これまでは、店舗の入り口やレジ周りに広告用チラシやその日のお薦め品を告知するチラシを貼って、来店されたお客様にチラシを見て頂く機会を提供している。しかし、この場合もチラシを手に持って見られるものではなく、貼られている場所まで移動しなければ見られないという問題がある。また、レジに並んでいるときに近くに貼られたチラシを見て特売品の情報を知り、売り場に一度戻ってから、レジに並び直すといったこともよくある。
【０００４】
以上のような問題に対し、これまでにショッピングカートに特売品などの情報を掲載する考案が提案されている。
【０００５】
例えば、特開２０１２−１８００６５号公報では、ショッピングカートにチラシなどの情報を表示するタブレット端末（カート端末）を取り付ける考案が提案されている（特許文献１）。また、実用新案登録第３１８８１４７号公報には、ショッピングカートのハンドル部に小さなチラシを取り付けることのできるショッピングカート用多機能ボードに関する考案が提案されている（特許文献２）。さらに、実開平７−２１７５号公報では、ショッピングカートのハンドル部に取り付けられ、チラシやクーポン券などを収容できるショッピングカート用メディアプレートに関する考案が提案されている（特許文献３）。
【先行技術文献】
【特許文献】
【０００６】
【特許文献１】特開２０１２−１８００６５号公報
【特許文献２】実用新案登録第３１８８１４７号公報
【特許文献３】実開平７−２１７５号公報
【考案の概要】
【考案が解決しようとする課題】
【０００７】
しかしながら、特許文献１に記載された考案においては、ショッピングカートごとに高額なタブレット端末を取り付けなければならず、設置には莫大なコストが必要になるという問題がある。また、特許文献２に記載された考案においては、チラシを取り付ける面積が小さく非常に見づらいという問題がある。
【０００８】
さらに、一般的なショッピングカートは、収容面積を減らすため、他のショッピングカートと重ねて収納できるようになっているが、特許文献３に記載された考案においては、メディアプレートが邪魔になってショッピングカート同士を重ね合わせることができないという問題がある。
【０００９】
また、広告・告知媒体としては、紙媒体の他、小さく小分けした試供品等もあるところ、従来では、試供品を配布する人が店頭に立って適宜、配付するようになっており、人手や手間がかかっている。
【００１０】
本考案は、以上のような問題点を解決するためになされたものであって、他のショッピングカートと重ねて収納する際に邪魔にならずにショッピングカートに広告・告知媒体を着脱することができ、買い物客が広告・告知媒体を確認しながら買い物をすることができる、ショッピングカート用広告具およびこれを備えたショッピングカートを提供することを目的としている。
【課題を解決するための手段】
【００１１】
本考案に係るショッピングカート用広告具は、他のショッピングカートと重ね合わせる際に邪魔にならずにショッピングカートに広告・告知媒体を取り付けるという課題を解決するために、複数の車輪を有する車輪部と、この車輪部の上に設けられて買い物カゴを載置するカゴ載置部と、このカゴ載置部の手前側に設けられるハンドル部とを有するショッピングカートに広告・告知媒体を取り付けるためのショッピングカート用広告具であって、前記広告・告知媒体を収容する広告・告知媒体収容部材と、この広告・告知媒体収容部材を前記ハンドル部または前記カゴ載置部の前記ハンドル部側において左右に延びる上縁部に回動自在に吊設させる吊設部材とを有する。
【００１２】
また、本考案の一態様として、ハンドル部またはカゴ載置部に対して着脱可能にするという課題を解決するために、前記吊設部材が、前記ハンドル部または前記カゴ載置部の上縁部に対して着脱可能に掛止するリング状または上下逆方向の略Ｕ字状に形成されていてもよい。
【００１３】
さらに、本考案の一態様として、広告・告知媒体を簡単に収容するという課題を解決するために、前記広告・告知媒体収容部材が、２枚の略矩形状板材から構成されているとともに両下縁部を閉じて前記各略矩形状板材の間に前記広告・告知媒体を挟持するように構成されていてもよい。
【００１４】
また、本考案の一態様として、広告・告知媒体を簡単に収容するという課題を解決するために、前記広告・告知媒体収容部材が、２枚の略矩形状板材から構成されているとともに、四辺のうちの一縁部を閉じるように連結し、他の三つの縁部に互いに着脱自在に固着する磁石を備えていてもよい。
【００１５】
本考案に係るショッピングカートは、他のショッピングカートと重ね合わせる際に邪魔にならずにショッピングカートに広告・告知媒体を取り付けるという課題を解決するために、前記ショッピングカート用広告具を備えたショッピングカートであって、前記ショッピングカート用広告具が前記ショッピングカートのハンドル部またはカゴ載置部のハンドル部側において左右に延びる上縁部に回動自在に吊設されている。
【考案の効果】
【００１６】
本考案によれば、他のショッピングカートと重ねて収納する際に邪魔にならずにショッピングカートに広告・告知媒体を着脱することができ、買い物客が広告・告知媒体を確認しながら買い物をすることができる。
【図面の簡単な説明】
【００１７】
【図１】本考案に係るショッピングカートの第一実施形態を示す斜視図である。
【図２】本第一実施形態のショッピングカートを他のショッピングカートと重ね合わせた状態を示す側面図である。
【図３】本第一実施形態のショッピングカート用広告具を示す正面斜視図である。
【図４】本第一実施形態のショッピングカート用広告具を示す背面斜視図である。
【図５】本第一実施形態においてショッピングカート用広告具により広告・告知媒体を見る際の使用状態図である。
【図６】本考案に係るショッピングカート用広告具の第二実施形態を示す正面斜視図である。
【図７】本第二実施形態のショッピングカートを示す斜視図である。
【考案を実施するための形態】
【００１８】
以下、本考案に係るショッピングカート用広告具およびこれを備えたショッピングカートの第一実施形態について図面を用いて説明する。
【００１９】
図１に示すように、本第一実施形態のショッピングカート用広告具２を備えたショッピングカート１は、主として、複数の車輪３１を有する車輪部３と、この車輪部３の上に設けられるカゴ載置部４と、このカゴ載置部４の手前側に設けられるハンドル部５とを有する。なお、ショッピングカート１は、「ワゴン」または単に「カート」と呼ばれるこもあるが、本発明では、いずれもショッピングカートの概念に含まれるものとして説明する。
【００２０】
車輪部３は、移動を容易にするために設けられる複数の車輪３１を有しており、本第一実施形態では、略台形状に形成されたベース部３２と、このベース部３２の下方に設けられた４つの車輪３１とを有する。各車輪３１は、左右方向へ曲がりやすくするため、ベース部３２の四隅に設けられた垂直軸３３を中心に軸回転可能に支持されている。なお、車輪３１の数および支持方法は特に限定されるものではなく、ショッピングカート１の大きさ等に応じて適宜選択してもよい。
【００２１】
カゴ載置部４は、買い物カゴを載置するものであり、前記車輪部３のベース部３２から上方に延出された柱部材４１に対し、所定の高さ位置から前方側に設けられている。このカゴ載置部４は、前記買い物カゴを載置した状態を維持できるように上面のない箱状に形成されており、各壁面４２は網目状に構成されている。また、カゴ載置部４は、図２に示すように、他のショッピングカート１におけるカゴ載置部４と重ね合わせられるように先細状に形成されているとともに、手前側の壁面４２ａが左右に延びる上縁部４３に対し、前方向に揺動可能に吊設されている。
【００２２】
ハンドル部５は、ショッピングカート１を操作する際に握る部分であり、カゴ載置部４の手前側に設けられている。本第一実施形態におけるハンドル部５は、図１に示すように、前記カゴ載置部４の手前側の左右に配置される柱部材４１を上方に延設させ、その上部に水平に配置したグリップ５１を有する。なお、ハンドル部５の形状は特に限定されるものではなく、適宜選択してもよい。
【００２３】
次に、ショッピングカート用広告具２の構成について説明する。ショッピングカート用広告具２は、図３および図４に示すように、広告・告知媒体を収容する広告・告知媒体収容部材２１と、この広告・告知媒体収容部材２１をカゴ載置部４に吊設させる吊設部材２２とを有する。
【００２４】
広告・告知媒体収容部材２１は、図３および図４に示すように、２枚の略矩形状板材２３から構成されている。各略矩形状板材２３は、他のショッピングカート１のカゴ載置部４によって押された際に手前側壁面４２ａとともに回動できるように、前記手前側壁面４２ａよりも小さい寸法に形成されている。この略矩形状板材２３は透明なアクリル板等からなり、挟持した広告・告知媒体を取り出さずにその記載内容を見ることができるようになっている。また、各略矩形状板材２３は、その間に挟持した前記広告・告知媒体が下方へ抜け落ちないように両下縁部２４が閉じられている。本第一実施形態では、透明アクリル板を一体成形することにより、２枚の透明アクリル板が下縁部２４で折り返すように一体的に形成されている。さらに、一方の略矩形状板材２３には、他の略矩形状板材２３との間の隙間を指で開けやすくするための切り欠き２５が設けられている。本第一実施形態における切り欠き２５は、略矩形状板材２３の左右縁部の上下略中央位置において、人間の親指の先よりも大きい円弧状に形成されている。
【００２５】
なお、本発明における広告・告知媒体は、ショッピングカート１を設置する店側の販売促進、またはメーカーからのタイアップなどによって、特定の商品についての効果的な広告および告知を行うための媒体であって、例えば新聞などに折り込まれるいわゆる折り込みチラシ、特定の商品の販売促進等に用いられるＰＯＰ広告、カタログおよびパンフレットなど種々の主に紙媒体に印刷された広告に関するものの他、小分けにされた洗剤や化粧品、菓子類、または小型の日用雑貨などの広告・告知媒体収容部材２１に収容可能な試供品等、広告・告知可能なすべての対象物を含む概念である。
【００２６】
吊設部材２２は、広告・告知媒体収容部材２１をハンドル部５またはカゴ載置部４に吊設するためのものであり、広告・告知媒体が見やすいように、前記ハンドル部５または前記カゴ載置部４の前記ハンドル部５側において左右に延びる上縁部４３に回動自在に吊設できるようになっている。本第一実施形態における吊設部材２２は、前記ハンドル部５または前記カゴ載置部４の上縁部４３に対して着脱可能に掛止するため、図４に示すように、上下逆方向の略Ｕ字状に形成されている。なお、吊設部材２２は、上下逆方向の略Ｕ字状のものに限定されるものではなく、略Ｃ字状や後述する第二実施形態で示すリング状、あるいはチェーンなど、前記ハンドル部５または前記カゴ載置部４の上縁部４３に吊設可能な部材であれば適宜選択してよい。
【００２７】
なお、本第一実施形態では、ショッピングカート用広告具２をショッピングカート１に着脱可能な別体として構成しているが、これに限定されるものではなく、図示しないが、ハンドル部５、またはカゴ載置部４の前記ハンドル部５側において左右に延びる上縁部４３に、予め回動自在に固定されていてもよい。
【００２８】
次に、本第一実施形態のショッピングカート用広告具２およびこれを備えたショッピングカート１の各構成の作用について説明する。
【００２９】
まず、ショッピングカート用広告具２に広告・告知媒体を収容する。本第一実施形態では、略矩形状板材２３の上部を広げてその隙間に広告・告知媒体を挟持させる。このとき、一方の略矩形状板材２３の左右縁部に切り欠き２５が形成されているため、そこに親指などをあてることで容易に広げることができる。また、狭持された広告・告知媒体は、各略矩形状板材２３の両下縁部２４が閉じられているため下方から抜け落ちることなく保持される。また、アクリル板などからなる略矩形状板材２３では、静電気によって広告・告知媒体が略矩形状板材２３の挟持面２６に吸着され、保持力が高まる。
【００３０】
次に、広告・告知媒体を収容したショッピングカート用広告具２をショッピングカート１に取り付けるため、吊設部材２２をカゴ載置部４のハンドル部５側において左右に延びる上縁部４３に吊り下げる。本第一実施形態では、図１に示すように、カゴ載置部４における手前側壁面４２ａのハンドル部５側に広告・告知媒体収容部材２１が配置されるように前記上縁部４３に吊設させる。本第一実施形態における吊設部材２２は、上下逆方向の略Ｕ字状に形成されているため、カゴ載置部４の上縁部４３に上方から掛止できる。
【００３１】
なお、本第一実施形態では、予め広告・告知媒体を収容させたショッピングカート用広告具２をショッピングカート１に取り付けているが、広告・告知媒体の収容手順はこれに限定されるものではなく、ショッピングカート用広告具２をショッピングカート１に取り付けてから広告・告知媒体を収容させてもよい。また、広告・告知媒体の交換や補充をするときも同様であり、ショッピングカート１に取り付けたまま行うことができるし、一度取り外してから広告・告知媒体の交換や補充を行った後、再度ショッピングカート１に取り付けるようにしてもよい。
【００３２】
広告・告知媒体を見る場合は、吊設部材２２を中心に下方を手前側に揺動するように回動させる。これにより、ショッピングカート用広告具２の略矩形状板材２３が透明なアクリル板などで形成されているため、図５に示すように、買い物客はショッピングカート１を押す側にいる状態で、収容されている広告・告知媒体を取り出すことなく読むことができる。これにより店側は目玉商品またはメーカーとのタイアップ商品に関する情報を買い物客に対してダイレクトに伝達することができ、より効果的な広告・告知を行うことができる。一方、買い物客側としても、例えば、新聞の折り込みチラシ等を持たずに店に行った場合であっても、目玉商品などの情報をいつでも確認することができる。
【００３３】
ショッピングカート１を使用した後に他のショッピングカート１に重ね合わせる場合、ショッピングカート用広告具２がカゴ載置部４の手前側壁面４２ａと同様に回動自在に吊設されているため、図２に示すように、前記ショッピングカート用広告具２が他のショッピングカート１のカゴ載置部４によって押されると、前記手前側壁面４２ａとともに回動する。よって、ショッピングカート用広告具２がショッピングカート１同士を重ね合わせる際に邪魔になることがない。
【００３４】
以上のような本第一実施形態のショッピングカート用広告具２およびこれを備えたショッピングカート１によれば、以下の効果を得ることができる。
１．ショッピングカート１のカゴ載置部４のハンドル部５側に広告・告知媒体を取り付けることができ、購買客は広告・告知媒体を見ながら買い物をすることができる。
２．２枚の略矩形状板材２３の両下縁部２４は閉じられているため、広告・告知媒体を確実に保持することができる。また、前記略矩形状板材２３にアクリル板などの静電気が発生しやすい材料を使用すると広告・告知媒体の保持力を高めることができる。
３．ショッピングカート用広告具２はカゴ載置部４から容易に着脱することができるため、広告・告知媒体の挟み込み作業や交換作業を容易に行うことができる。
４．ショッピングカート用広告具２は、カゴ載置部４の手前側壁面４２ａとともに回動することができるため、カゴ載置部４に吊設させたまま他のショッピングカート１を重ね合わせて収容することができる。
【００３５】
次に、本発明に係るショッピングカート用広告具およびこれを備えたショッピングカートの第二実施形態について図面を用いて説明する。なお、本第二実施形態のうち、上述した第一実施形態の構成と同等または相当する構成については、再度の説明を省略する。
【００３６】
本第二実施形態の広告・告知媒体収容部材２１は、２枚の略矩形状板材２３における四辺のうち、一縁部を閉じるように連結し、他の三つの縁部には、互いに着脱自在に固着する磁石２７を備えている。具体的には、図６に示すように、四辺のうちの上縁部を閉じるように連結している。また、各略矩形状板材２３における左縁部、右縁部および下縁部の三つの縁部にそれぞれ細長い板状の磁石２７が異なる極（＋極と−極）同士で向かい合うように設けられている。なお、磁石２７は、細長い板状のものに限定されるものではなく、比較的薄いものであれば円盤状等、形状は適宜選択してもよい。
【００３７】
吊設部材２２は、図６に示すように、ハンドル部５またはカゴ載置部４のハンドル部５側において左右に延びる上縁部４３に着脱可能に掛止するために開閉可能なリング状に形成されており、本第二実施形態では、広告・告知媒体収容部材２１の上端部に前記ハンドル部５のグリップ５１の幅より広い間隔となる左右対称位置にそれぞれ設けられている。
【００３８】
次に、本第二実施形態のショッピングカート用広告具２およびこれを備えたショッピングカート１の各構成の作用について説明する。
【００３９】
本第二実施形態のショッピングカート用広告具２に広告・告知媒体を収容させる場合、磁石２７で固着された三つの縁部をそれぞれ引き剥がし、各略矩形状板材２３の間に広告・告知媒体を入れる。そして、再び前記磁石２７で三つの縁部を固着させることにより、各略矩形状板材２３は四辺すべてが閉じられて広告・告知媒体を狭持し、保持する。また、各略矩形状板材２３の間に磁石２７の厚さに応じた隙間が形成されるため、厚みや重みのあるカタログ本や洗剤等の試供品などの広告・告知媒体を収容することが可能であり、収容後は前記磁石２７によって固着されるので下方から抜け落ちることはない。
【００４０】
ショッピングカート用広告具２は、図７に示すように、ハンドル部５に吊設される。具体的には、リング状に形成された吊設部材２２をグリップ５１の両端近傍に挿通させることで吊設される。
【００４１】
広告・告知媒体を見る場合、図７の矢印で示す方向に、吊設部材２２を中心に手前から上方まで回動させる。これにより、本第二実施形態では、手前側にあるショッピングカート用広告具２に収容された広告・告知媒体の確認が容易になる。また、試供品を持ち帰る場合は、各略矩形状板材２３の三つの縁部で固着されている磁石２７を引き離すことで容易に広告・告知媒体収容部２１から取り出すことができ、また、各磁石２７を固着させることで、残りの試供品をそのまま収容させておくことができる。
【００４２】
他のショッピングカート１に重ねて収納する場合、広告・告知媒体を見る場合と同様に、本ショッピングカート用広告具２を吊設部材２２を中心に手前から上方まで回動させるとともに、さらに前方側まで回動させておく。これにより、第一実施形態と同様に、手前側壁面４２ａは、他のショッピングカート１のカゴ載置部４によって押されて収納される。また、前方側まで回動させておいてショッピングカート用広告具２は手前側壁面４２ａに押されて逆方向に回動する。よって、ショッピングカート用広告具２をハンドル部５に吊設させたとしても前記ショッピングカート用広告具２がショッピングカート１同士を重ね合わせる際に邪魔になることがない。なお、前述した本第二実施形態のショッピングカート用広告具２は手前側から上方に回転させて収納するようになっているが、これに限らず、ショッピングカート１を収納する際の邪魔にならなければ、前方側に回転させながら収納する構成してもよい。
【００４３】
以上より、本第二実施形態のショッピングカート用広告具２およびこれを備えたショッピングカート１によれば、第一実施形態と同様の効果を得られるとともに、ショッピングカート用広告具２の四辺が閉じられているので、広告・告知媒体をより確実に保持することができる。
【００４４】
なお、本考案は、前述した各実施形態に限定されるものではなく、適宜変更することができる。例えば、広告・告知媒体収容部材２１は、他のショッピングカート１と重ね合わせる際の衝撃による破損を回避するため、比較的柔らかい素材のビニールシート等によって構成されていてもよい。
【符号の説明】
【００４５】
１  ショッピングカート
２  ショッピングカート用広告具
３  車輪部
４  カゴ載置部
５  ハンドル部
２１  広告・告知媒体収容部材
２２  吊設部材
２３  略矩形状板材
２４  下縁部
２５  切り欠き
２６  挟持面
２７  磁石
３１  車輪
３２  ベース部
３３  垂直軸
４１  柱部材
４２  壁面
４２ａ  手前側壁面
４３  上縁部
５１  グリップ
【図１】
0003213786.tif 000003
【図２】
0003213786.tif 000004
【図３】
0003213786.tif 000005
【図４】
0003213786.tif 000006
【図５】
0003213786.tif 000007
【図６】
0003213786.tif 000008
【図７】
0003213786.tif 000009